(57)【要約】【課題】  椅子の設置や取り扱いが容易な遊技機島を提供する。【解決手段】  複数の遊技機１１を収容するための島構造体１２内に遊技機１１が配設された遊技機島１０であって、島構造体１２を床Ｇに固定するための島構造体１２のベース１２１に、遊技者が着座する椅子本体２が連結体３を介して連結され、椅子本体２が遊技機１１の前面に配設され、連結体３が可動であることで椅子本体２が移動可能となっている。【選択図】  図１
2015231470.tif 000002
【特許請求の範囲】
【請求項１】
複数の遊技機を収容するための島構造体を備えた遊技機島であって、
前記島構造体を床に固定するための前記島構造体の基部に、遊技者が着座する椅子本体が連結体を介して連結され、前記椅子本体が前記遊技機の前面に配設されている、
ことを特徴とする遊技機島。
【請求項２】
前記連結体が可動であることで前記椅子本体が移動可能となっている、
ことを特徴とする請求項１に記載の遊技機島。
【請求項３】
前記連結体は、前記島構造体の基部に対して着脱自在となっている、
ことを特徴とする請求項１または２のいずれか１項に記載の遊技機島。
【請求項４】
前記連結体は、第１の連結バーと第２の連結バーとが回動自在に接続されて構成され、前記第１の連結バーの端部が前記椅子本体に接続され、前記第２の連結バーの端部が前記基部に回動自在に接続されている、
ことを特徴とする請求項１から３のいずれか１項に記載の遊技機島。
【請求項５】
前記連結体は、第１の連結バーと第２の連結バーとが回動自在に接続されて構成され、前記第１の連結バーの端部が前記椅子本体に接続され、前記第２の連結バーが前記基部に対して進退動自在に接続されている、
ことを特徴とする請求項１から３のいずれか１項に記載の遊技機島。
【請求項６】
前記連結体は、第１の連結バーと第２の連結バーとが回動自在に接続されて構成され、前記第１の連結バーの端部が前記椅子本体に接続され、前記第２の連結バーの端部が前記基部に接続され、前記第２の連結バーは屈折および展開することで伸縮自在となっている、
ことを特徴とする請求項１から３のいずれか１項に記載の遊技機島。
【請求項７】
前記連結体内に配線が敷設され、該配線の一端側が島構造体に配置され他端側が前記椅子本体に配置されている、
ことを特徴とする請求項１から６のいずれか１項に記載の遊技機島。
【請求項８】
前記連結体を自動駆動させる自動駆動手段を備える、
ことを特徴とする請求項１から７のいずれか１項に記載の遊技機島。
【請求項９】
遊技機島の島構造体内の遊技機の前面に配設される遊技機用椅子であって、
遊技者が着座する椅子本体と、
一端部が前記椅子本体に連結され、他端部が前記島構造体の基部に連結可能な連結体と、
を備え、
前記連結体の他端部を前記島構造体の基部に連結することで、前記椅子本体が前記遊技機の前面に配設される、
ことを特徴とする遊技機用椅子。
【請求項１０】
前記連結体が可動であることで前記椅子本体が移動可能となっている、
ことを特徴とする請求項９に記載の遊技機用椅子。
【発明の詳細な説明】
【技術分野】
【０００１】
この発明は、遊技機が島構造体内に配設された遊技機島および遊技機の前面に配設される遊技機用椅子に関する。
【背景技術】
【０００２】
パチンコ機やパチスロ機などの遊技機の前面には、遊技者が座るための椅子が配設されているが、従来、この椅子は、床に固定されているのが一般的であった（例えば、特許文献１参照。）。すなわち、床にアンカーボルトを設置し、このアンカーボルトに椅子のボルトを締め付けることで椅子を固定設置していた。
【先行技術文献】
【特許文献】
【０００３】
【特許文献１】特開平０８−２８０２９５号公報
【発明の概要】
【発明が解決しようとする課題】
【０００４】
ところで、遊技場においては、パチンコ機を新たなパチンコ機に取り替えたり、パチンコ機をパチスロ機に取り替えたり、あるいは、パチスロ機をパチンコ機に取り替えたりする際に、台間の寸法が変更する場合がある。このような場合、従来の椅子は床に固定されているため、その都度、アンカーボルトを打ち直さなければならず、多大な時間と労力とを要していた。しかも、椅子の移動距離が短い場合、古いアンカーボルトの近くに新たなアンカーボルトを打たなければならないため、作業が困難で、より時間と労力とを要していた。しかも、遊技機を取り替える際に、椅子が遊技機の前面にあるため作業の邪魔となり、作業がしづらかった。
【０００５】
また、椅子が床に固定されているため、遊技機を個別に改修したり遊技機周辺などを掃除したりする際に、椅子が邪魔になり作業（掃除）がしづらい場合があった。
【０００６】
そこでこの発明は、椅子の設置や取り扱いが容易な遊技機島および遊技機用椅子を提供することを目的とする。
【課題を解決するための手段】
【０００７】
上記課題を解決するために、請求項１に記載の発明は、複数の遊技機を収容するための島構造体を備えた遊技機島であって、前記島構造体を床に固定するための前記島構造体の基部に、遊技者が着座する椅子本体が連結体を介して連結され、前記椅子本体が前記遊技機の前面に配設されている、ことを特徴とする。
【０００８】
請求項２に記載の発明は、請求項１に記載の遊技機島において、前記連結体が可動であることで前記椅子本体が移動可能となっている、ことを特徴とする。
【０００９】
請求項３に記載の発明は、請求項１または２に記載の遊技機島において、前記連結体は、前記島構造体の基部に対して着脱自在となっている、ことを特徴とする。
【００１０】
請求項４に記載の発明は、請求項１から３に記載の遊技機島において、前記連結体は、第１の連結バーと第２の連結バーとが回動自在に接続されて構成され、前記第１の連結バーの端部が前記椅子本体に接続され、前記第２の連結バーの端部が前記基部に回動自在に接続されている、ことを特徴とする。
【００１１】
請求項５に記載の発明は、請求項１から３に記載の遊技機島において、前記連結体は、第１の連結バーと第２の連結バーとが回動自在に接続されて構成され、前記第１の連結バーの端部が前記椅子本体に接続され、前記第２の連結バーが前記基部に対して進退動自在に接続されている、ことを特徴とする。
【００１２】
請求項６に記載の発明は、請求項１から３に記載の遊技機島において、前記連結体は、第１の連結バーと第２の連結バーとが回動自在に接続されて構成され、前記第１の連結バーの端部が前記椅子本体に接続され、前記第２の連結バーの端部が前記基部に接続され、前記第２の連結バーは屈折および展開することで伸縮自在となっている、ことを特徴とする。
【００１３】
請求項７に記載の発明は、請求項１から６に記載の遊技機島において、前記連結体内に配線が敷設され、該配線の一端側が島構造体に配置され他端側が前記椅子本体に配置されている、ことを特徴とする。
【００１４】
請求項８に記載の発明は、請求項１から７に記載の遊技機島において、前記連結体を自動駆動させる自動駆動手段を備える、ことを特徴とする。
【００１５】
請求項９に記載の発明は、遊技機島の島構造体内の遊技機の前面に配設される遊技機用椅子であって、遊技者が着座する椅子本体と、一端部が前記椅子本体に連結され、他端部が前記島構造体の基部に連結可能な連結体と、を備え、前記連結体の他端部を前記島構造体の基部に連結することで、前記椅子本体が前記遊技機の前面に配設される、ことを特徴とする。
【００１６】
請求項１０に記載の発明は、請求項９に記載の遊技機用椅子において、前記連結体が可動であることで前記椅子本体が移動可能となっている、ことを特徴とする。
【発明の効果】
【００１７】
請求項１および請求項９の発明によれば、連結体を介して島構造体に椅子本体が連結されるため、椅子本体をアンカーボルトで床に固定する必要がなく、椅子を容易に設置することが可能になるとともに、床に穴を開ける必要がなく床状態を良好に維持することが可能となる。しかも、島構造体を変更した場合でも、新たな島構造体に連結体を介して椅子本体を連結するだけで、椅子本体を容易に設置することが可能となる。
【００１８】
請求項２および請求項１０の発明によれば、連結体が可動であることで椅子本体が移動可能となっているため、連結体を動かすことで、椅子本体を任意の位置に移動させることが可能となる。このため、遊技機を個別に改修したり遊技機周辺などを掃除したり、遊技機の交換をする際に、椅子本体を所望の位置に移動させることで椅子本体が邪魔にならず、作業を容易かつ適正に行うことが可能となる。さらには、椅子本体を移動させて遊技機の前面に広いスペースを確保することで、車椅子を遊技機の前面に配置することが可能となる。
【００１９】
請求項３の発明によれば、連結体が島構造体の基部に対して着脱自在となっているため、例えば、特定の椅子本体のみを交換する場合に、連結体を外して新たな椅子本体の連結体を連結するだけで、容易に椅子本体を交換することが可能となる。
【００２０】
請求項４の発明によれば、第１の連結バー（椅子本体）が第２の連結バーに対して回動自在で、さらに、第２の連結バーが島構造体の基部に対して回動自在なため、椅子本体を任意の位置に移動させることが可能となる。
【００２１】
請求項５の発明によれば、第１の連結バー（椅子本体）が第２の連結バーに対して回動自在で、さらに、第２の連結バーが島構造体の基部に対して進退動自在なため、椅子本体を任意の位置に移動させることが可能となる。
【００２２】
請求項６の発明によれば、第１の連結バー（椅子本体）が第２の連結バーに対して回動自在で、さらに、第２の連結バーが屈折および展開して伸縮自在なため、椅子本体を任意の位置に移動させることが可能となる。
【００２３】
請求項７の発明によれば、島構造体と椅子本体とにわたって配線が敷設されているため、配線を介して島構造体から椅子本体に電源を供給したり、信号を送信したりすること、椅子本体から島構造体へ信号を送信したりすることが可能となり、遊技者に対する多様なサービスの提供が可能となる。
【００２４】
請求項８の発明によれば、連結体を自動駆動させる自動駆動手段を備えるため、自動駆動手段で連結体を自動駆動させることで、人手によらず適正かつ容易、迅速に椅子本体を動かすことが可能となる。
【図面の簡単な説明】
【００２５】
【図１】この発明の実施の形態１に係る遊技機島および遊技機用椅子を示す正面図である。
【図２】図１の遊技機用椅子を引き出した状態を示す平面図である。
【図３】図１の遊技機用椅子を遊技機側に収容した状態を示す平面図である。
【図４】図３の遊技機用椅子の椅子本体を回転させた状態を示す平面図である。
【図５】図１の遊技機用椅子の椅子本体の脚部と連結体とを示す平面図である。
【図６】図１の遊技機用椅子における第１の仮固定部材（ａ）と第２の仮固定部材（ｂ）を示す平面図である。
【図７】この発明の実施の形態２に係る遊技機島を示す正面図である。
【図８】この発明の実施の形態３に係る遊技機島を示す正面図である。
【図９】この発明の実施の形態４に係る遊技機用椅子を引き出した状態を示す平面図である。
【図１０】図９の遊技機用椅子を遊技機側に収容した状態を示す平面図である。
【図１１】図９の遊技機用椅子を引き出した状態を示す正面図である。
【図１２】図９の遊技機用椅子を遊技機側に収容した状態を示す正面図である。
【図１３】この発明の実施の形態５に係る３遊技機用椅子を引き出した状態を示す平面図である。
【図１４】図１３の遊技機用椅子を遊技機側に収容した状態を示す平面図である。
【図１５】図１３の遊技機用椅子を引き出した状態を示す正面図である。
【図１６】図１３の遊技機用椅子を遊技機側に収容した状態を示す正面図である。
【図１７】この発明の実施の形態４、５における回動規制体を示す正面図である。
【図１８】図１７の回動規制体を示す斜視図である。
【発明を実施するための形態】
【００２６】
以下、この発明を図示の実施の形態に基づいて説明する。
【００２７】
「実施の形態１」
図１〜図６は、この発明の実施の形態１を示し、図１は、この発明の実施の形態に係る遊技機島１０および遊技機用椅子１を示す正面図である。遊技機島１０は、複数の遊技機１１が島構造体１２内に配設された島であり、遊技機用椅子１は、遊技機島１０の各遊技機１１の前面に各々配設される椅子である。
【００２８】
「島構造体１２の構成」
島構造体１２は、複数の遊技機１１を配設、収容するための構造体であり、島構造体１２を床Ｇに固定するためのベース（基部）１２１の装着部１２２を除いて、従来の島構造体と同等の構成となっている。すなわち、図１、図２に示すように、四角いブロック状のベース１２１が、遊技機１１の配設間隔ごとに、複数並列に床Ｇに配設、固定されている。このベース１２１の上に、ベース１２１の配設方向に延びるように垂直支持体１２３が配設されている。そして、垂直支持体１２３の上に、複数の遊技機１１が配設されている。ここで、この実施の形態では、遊技機１１が背中合わせになるように、遊技機１１が２列配設されている。また、遊技機１１の下方には、遊技者側に突出するカウンタ台１２４が、遊技機１１の配列方向に延びて設けられている。
【００２９】
このような島構造体１２のベース１２１に、装着部１２２が設けられている。すなわち、装着部１２２は、四角いブロック状で、ベース１２１の両端から遊技機用椅子１側に突出するように配設されている。また、装着部１２２の側面にはボルト挿入孔１２２ａが形成され、このボルト挿入孔１２２ａに遊技機用椅子１の取付ボルト３８を挿入可能となっている。
【００３０】
「遊技機用椅子１の構成」
遊技機用椅子１は、遊技者が着座する椅子本体２と、一端部が椅子本体２に連結され、他端部が島構造体１２のベース１２１に連結可能な連結体３と、を備え、連結体３の他端部を島構造体１２のベース１２１に連結することで、椅子本体２が遊技機１１の前面に配設されるものである。つまり、島構造体１２のベース１２１に連結体３を介して椅子本体２が連結されて、椅子本体２が遊技機１１の前面に配設されるようになっている。また、連結体３が可動・変形することで椅子本体２を移動可能となっている。
【００３１】
「椅子本体２の構成」
椅子本体２は、図１に示すように、座部２１と背もたれ２２とを有し、座部２１の下面から垂直下方に延びる支柱２３に、３つの脚部２４が配設されている。この脚部２４は、断面形状が略長方形の中空棒体で、図５に示すように、支柱２３を中心に３方向に延び、各脚部２４の床Ｇ側にはローラ２５が回転自在に配設されている。また、座部２１は、支柱２３を軸心にして回転自在で、さらに、高さを調整自在となっている。
【００３２】
「連結体３の構成」
連結体３は、図５に示すように、断面形状が略長方形の中空棒体である、第１の連結バー（一端部）３１と第２の連結バー３２と装着筒（他端部）３３とを備えている。この実施の形態では、第２の連結バー３２が最も長く、第１の連結バー３１が次に長く、装着筒３３が最も短く設定されている。第１の連結バー３１と第２の連結バー３２とは回動自在に接続され、第１の連結バー３１の端部が椅子本体２に接続され、第２の連結バー３２の端部がベース１２１に回動自在に接続されている。
【００３３】
具体的に、第１の連結バー３１は、図５に示すように、その一端部が椅子本体２の１つの脚部２４の自由端部に接続、連結され、他端部が第１の接続板３４を介して、第２の連結バー３２の一端部に対して回動自在に接続されている。すなわち、第２の連結バー３２の一端部の上下面に、四角い板状の第１の接続板３４、３４が取り付けられている。この第１の接続板３４、３４に第１の連結バー３１の他端部が挟まれた状態で、第１の接続板３４、３４間に配設された軸を中心に第１の連結バー３１が回動するようになっている。また、各第１の接続板３４から第１の連結バー３１にわたって第１の圧縮コイルバネ３５が配設され、外力が付加されない状態では、この第１の圧縮コイルバネ３５によって第１の連結バー３１に引張方向（収容方向）への力が掛かるようになっている。
【００３４】
第２の連結バー３２の他端部は、第２の接続板３６を介して装着筒３３の一端部に対して回動自在に接続されることで、ベース１２１の装着部１２２に回動自在に接続されている。すなわち、装着筒３３の一端部の上下面に、四角い板状の第２の接続板３６、３６が取り付けられている。この第２の接続板３６、３６に第２の連結バー３２の他端部が挟まれた状態で、第２の接続板３６、３６間に配設された垂直軸を中心に第２の連結バー３２が回動するようになっている。また、各第２の接続板３６から第２の連結バー３２にわたって第２の圧縮コイルバネ３７が配設され、外力が付加されない状態では、この第２の圧縮コイルバネ３７によって第２の連結バー３２に引張方向への力が掛かるようになっている。
【００３５】
装着筒３３の内形状は、島構造体１２のベース１２１の装着部１２２の外形状と同等に形成され、装着筒３３の他端部に装着部１２２を挿入可能となっている。また、装着筒３３の側面にはボルト挿入孔が形成され、このボルト挿入孔に取付ボルト３８を挿入可能となっている。そして、装着筒３３の他端部に装着部１２２を挿入し、装着筒３３のボルト挿入孔と装着部１２２のボルト挿入孔１２２ａとに取付ボルト３８を挿入してナットを締め付ける。これにより、連結体３が島構造体１２のベース１２１に連結され、椅子本体２が遊技機１１の前面に配設される。一方、取付ボルト３８を外して装着筒３３を装着部１２２から引き抜くことで、連結体３が島構造体１２から離脱される。このようにして連結体３、つまり遊技機用椅子１が島構造体１２のベース１２１に対して着脱自在となっている。
【００３６】
そして、椅子本体２が島構造体１２に連結された状態で、図５に示すようにして第１の連結バー３１および第２の連結バー３２を回動させることで、連結体３が、島構造体１２のベース１２１に対して回動および進退動（前後動）し、椅子本体２が遊技機１１の前面側の任意の（連結体３が届く範囲の）位置に移動可能となっている。例えば、図２に示すように、椅子本体２を遊技機１１側から引き出して遊技者が着座できる位置に移動したり、図３に示すように、椅子本体２を遊技機１１側に収容した位置に移動したりすることができる。また、図３の状態で、座部２１を回転させることで、図４に示すように、背もたれ２２を遊技機１１の前面から逃せるようになっている。ここで、図２の状態では、第２の連結バー３２が遊技機１１に対して垂直方向に延びた状態となる。
【００３７】
また、第１の連結バー３１の第１の接続板３４側の側面３１ａには、図６（ａ）に示すような第１の仮固定部材４１が取り付けられ、第２の連結バー３２の第１の接続板３４側の側面３２ａには、図６（ｂ）に示すような第２の仮固定部材４２が取り付けられている。第１の仮固定部材４１は、矢印状の先端部４１ａを備え、第２の仮固定部材４２には、２つの円板状の挟持部４２ａ、４２ａが開閉自在に設けられている。この挟持部４２ａ、４２ａに対して先端部４１ａを押し込むと、挟持部４２ａ、４２ａが開いて第１の仮固定部材４１の根元部４１ｂを挟持して、第１の仮固定部材４１と第２の仮固定部材４２とが接続（仮固定）される。この際、「カチャ」という音が発せられ、接続されたことを確認できるようになっている。一方、この接続状態から、先端部４１ａを引き抜くと、挟持部４２ａ、４２ａが開いて第１の仮固定部材４１と第２の仮固定部材４２との接続が解除されるようになっている。
【００３８】
このような第１の仮固定部材４１と第２の仮固定部材４２は、図２に示すように、椅子本体２を引き出して遊技者が着座できる所定の位置で、第１の仮固定部材４１と第２の仮固定部材４２とが接続されるように配設されている。つまり、椅子本体２を引き出して第１の仮固定部材４１と第２の仮固定部材４２とが接続されると、椅子本体２が所定の位置で仮固定されるものである。このような第１の仮固定部材４１と第２の仮固定部材４２とによって、椅子本体２を所定の位置に位置決めすることが容易となるが、あくまでも仮の固定であり、遊技者が体格や遊技姿勢などに応じて任意の位置に椅子本体２を移動できることに変わりはなく、第１の仮固定部材４１と第２の仮固定部材４２とを備えなくてもよい。
【００３９】
「遊技機島１０および遊技機用椅子１の作用等」
次に、このような構成の遊技機用椅子１の使用方法などについて説明する。まず、遊技者が遊技機１１で遊技する場合、図２に示すように、椅子本体２を所定の位置まで引き出すと、第１の仮固定部材４１と第２の仮固定部材４２とが接続されて、椅子本体２が所定の位置で仮固定され、椅子本体２に遊技者が着座する。その後、遊技者が椅子本体２から離れた場合には、遊技ホールの店員などが椅子本体２を遊技機１１側に押し込むことで、第１の仮固定部材４１と第２の仮固定部材４２との接続が解除され、連結体３の連結バー３１、３２が回動して、図３に示すように、椅子本体２が遊技機１１側に収容される。
【００４０】
また、遊技機１１を個別に改修したり遊技機１１周辺などを掃除したりする場合には、椅子本体２を遊技機１１側に収容して、さらに、図４に示すように、座部２１を回転させる。これにより、背もたれ２２が遊技機１１の側面側に位置し、遊技機１１の前面に広いスペースが確保され、この状態で改修や掃除などを行う。さらに、車椅子に乗った遊技者が遊技機１１で遊技する場合、椅子本体２を移動させて遊技機１１の前面に広いスペースを確保して、車椅子を遊技機１１の前面に配置する。この際、椅子本体２を図４に示す位置から、第１の連結バー３１および第２の連結バー３２を回動させて椅子本体２を遊技機１１の脇に移動させ、遊技機１１の前面に広いスペースを確保する。あるいは、遊技機用椅子１を島構造体１２から取り外してもよい。
【００４１】
一方、遊技機用椅子１を交換する場合には、既設の遊技機用椅子１の取付ボルト３８を外して装着筒３３を装着部１２２から引き抜き、既設の遊技機用椅子１を島構造体１２から取り外す。次に、新設の遊技機用椅子１の装着筒３３に装着部１２２を挿入し、取付ボルト３８を締め付けて、新設の遊技機用椅子１を島構造体１２に連結する。同様に、島構造体１２自体を交換する場合には、各遊技機用椅子１を既設の島構造体１２から取り外し、各遊技機用椅子１を新設の島構造体１２に連結するものである。
【００４２】
「遊技機島１０および遊技機用椅子１による効果」
以上のように、遊技機島１０および遊技機用椅子１によれば、連結体３を介して島構造体１２に椅子本体２が連結されるため、椅子本体２をアンカーボルトで床Ｇに固定する必要がなく、遊技機用椅子１を容易に設置することが可能になるとともに、床Ｇに穴を開ける必要がなく床Ｇの状態を良好に維持することが可能となる。しかも、島構造体１２を変更した場合でも、新たな島構造体１２に連結体３を介して椅子本体２を連結するだけで、椅子本体２を容易に設置することが可能となる。
【００４３】
また、連結体３が島構造体１２のベース１２１に対して回動および進退自在となっているため、連結体３を回動、進退動させることで、椅子本体２を任意の位置に移動させることが可能となる。このため、遊技機１１を個別に改修したり遊技機１１周辺などを掃除したりする際に、椅子本体２を所望の位置に移動させることで椅子本体２が邪魔にならず、作業を容易かつ適正に行うことが可能となる。
【００４４】
さらには、椅子本体２を移動させて遊技機１１の前面に広いスペースを確保することで、容易かつ迅速に、しかもどの遊技機１１に対しても車椅子を遊技機１１の前面に配置することが可能となる。また、遊技機１１の位置をずらした場合（台間寸法を変えた場合）でも、連結体３の取付位置を変えることなく、椅子本体２を移動させて遊技機１１の前面に配置することが可能となる。
【００４５】
また、連結体３が島構造体１２のベース１２１に対して着脱自在となっているため、例えば、特定の椅子本体２のみを交換する場合に、連結体３を外して新たな椅子本体２の連結体３を連結するだけで、容易に椅子本体２を交換することが可能となる。一方、島構造体１２自体を交換する場合でも、各遊技機用椅子１を新設の島構造体１２に連結することで、各遊技機用椅子１を再利用することができる。さらに、椅子本体２を所定の位置で仮固定する第１の仮固定部材４１と第２の仮固定部材４２とを備えるため、複数の椅子本体２を整然と配置したり、通路を広く確保したりすることが可能となる。
【００４６】
「実施の形態２」
図７は、この発明の実施の形態２を示し、実施の形態１と同等の構成については、同一符号を付することでその説明を省略する。
【００４７】
この実施の形態では、連結体３を自動駆動させる自動駆動装置（自動駆動手段）５を備える点で、実施の形態１と構成が異なる。すなわち、自動駆動装置５は、各遊技機用椅子１に対応して配設された駆動モータ５１と駆動機構（ベルト、ワイヤ、歯車等）５２とから構成され、駆動モータ５１によって駆動機構５２が駆動することで、連結体３の第１の連結バー３１および第２の連結バー３２が所定の方向に回動するものである。
【００４８】
また、この実施の形態では、自動駆動装置５によって椅子本体２が遊技機１１側の所定の位置に移動、仮固定されるようになっている。さらに、各駆動モータ５１が島構造体１２側の操作パネルによって起動され、操作パネルの操作に応じて、所定の自動駆動装置５または全自動駆動装置５が起動するようになっている。そして、例えば、遊技ホールの営業時間が終了した際に、操作パネルを操作して全自動駆動装置５を起動すると、すべての椅子本体２が遊技機１１側の所定の位置に移動、仮固定されるものである。
【００４９】
このように、この実施の形態によれば、連結体３を自動駆動させる自動駆動装置５を備えるため、自動駆動装置５で連結体３を自動駆動させることで、人手によらず適正かつ容易、迅速に椅子本体２を動かすことが可能となる。
【００５０】
「実施の形態３」
図８は、この発明の実施の形態３を示し、実施の形態１と同等の構成については、同一符号を付することでその説明を省略する。
【００５１】
この実施の形態では、各連結体３内に電線（配線）６１が敷設され、電線６１の一端側が島構造体１２に配置され他端側が椅子本体２に配置されている点で、実施の形態１と構成が異なる。すなわち、島構造体１２の電源装置に一端部が接続された電線６１が、連結体３内および椅子本体２の支柱２３内を通って、座部２１の下部に配設されたコンセント６２に接続されている。そして、コンセント６２に各種機器のプラグを差し込むことで、電線６１を介して電源装置から各種機器に電力が供給されるようになっている。
【００５２】
このように、この実施の形態によれば、島構造体１２の電源装置から各遊技機用椅子１に電力が供給されるため、遊技者に対する多様なサービスの提供が可能となる。例えば、遊技者が自己の携帯端末を充電したり、会員カード等の操作部を設けたり、店員呼び出しボタンを設けたりすることができる。また、電線６１に加えて信号線（配線）を敷設することで、遊技者に対してさらに多様なサービスを提供することが可能となる。
【００５３】
コンセント６２に各種機器のプラグを差し込む例を挙げたが、電線６１によって電源装置と各種機器を直接接続してもよい。
【００５４】
「実施の形態４」
図９〜図１２は、この発明の実施の形態４を示し、実施の形態１と同等の構成については、同一符号を付することでその説明を省略する。
【００５５】
この実施の形態では、第２の連結バー７２が島構造体１２のベース１２１に対して進退動自在に接続されている点で、実施の形態１と構成が異なる。すなわち、連結体７は、図９に示すように、第１の連結バー７１と第２の連結バー７２とが回動自在に接続されて構成され、第１の連結バー７１の端部が椅子本体２の１つの脚部２４の自由端部に接続されている。
【００５６】
一方、ベース１２１には、図９、図１１に示すように、ベース１２１の長手方向に沿って延び外側に突出するガイドバー７３が取り付けられている。このガイドバー７３は、断面形状が角ばったＵ字状で、このガイドバー７３内に第２の連結バー７２が挿入された状態で接続されている。そして、ガイドバー７３に対して第２の連結バー７２が出入りすることで、第２の連結バー７２がベース１２１に対して進退動自在となっている。具体的には、第２の連結バー７２がガイドバー７３から前進することで、図９、図１１に示すように、第２の連結バー７２がガイドバー７３に沿って延びて、遊技者が着座できる位置に椅子本体２が移動可能となる。また、第２の連結バー７２がガイドバー７３側に後退することで、図１０、図１２に示すように、第２の連結バー７２がガイドバー７３内に収容されて、椅子本体２が遊技機１１側に移動可能となる。
【００５７】
このように、この実施の形態によれば、第１の連結バー７１つまり椅子本体２が第２の連結バー７２に対して回動自在で、さらに、第２の連結バー７２が島構造体１２のベース１２１に対して進退動自在なため、椅子本体２を任意の位置に移動させることが可能となる。なお、次の実施の形態５の回動規制体９と同等の回動規制体９によって、第１の連結バー７１は、第２の連結バー７２に対する回動が規制されるようになっている。
【００５８】
「実施の形態５」
図１３〜図１６は、この発明の実施の形態５を示し、実施の形態１、４と同等の構成については、同一符号を付することでその説明を省略する。
【００５９】
この実施の形態では、第２の連結バー８２が屈折および展開することで伸縮自在となっている点で、実施の形態１、４と構成が異なる。すなわち、連結体８は、図１３に示すように、第１の連結バー８１と第２の連結バー８２とが回動自在に接続されて構成され、第１の連結バー８１の端部が椅子本体２の１つの脚部２４の自由端部に接続されている。一方、ベース１２１の装着部１２２には、接続体８０が取り付けられている。
【００６０】
また、第２の連結バー８２は、第１の屈折バー８２１と第２の屈折バー８２２とから構成されている。図１５、図１６に示すように、第１の屈折バー８２１の一端部は、ベース１２１の接続体８０に第１の水平軸８２３を介して回動自在に接続され、第２の屈折バー８２２の一端部は、回動規制体９に第２の水平軸８２４を介して回動自在に接続されている。また、第１の屈折バー８２１の他端部と第２の屈折バー８２２の他端部とが、第３の水平軸８２５を介して相互に回動自在に接続されている。
【００６１】
そして、第１の屈折バー８２１と第２の屈折バー８２２とが回動することで、第２の連結バー８２が屈折および展開して伸縮するようになっている。具体的には、第１の屈折バー８２１と第２の屈折バー８２２とが直線状に展開することで、図１３、図１５に示すように、第２の連結バー８２が伸びて、遊技者が着座できる位置に椅子本体２が移動可能となる。また、第１の屈折バー８２１と第２の屈折バー８２２とが重なるように屈折することで、図１４、図１６に示すように、第２の連結バー８２が縮んで、椅子本体２が遊技機１１側に移動可能となる。
【００６２】
このように、この実施の形態によれば、第１の連結バー８１つまり椅子本体２が第２の連結バー８２に対して回動自在で、さらに、第２の連結バー８２が屈折および展開して伸縮自在なため、椅子本体２を任意の位置に移動させることが可能となる。
【００６３】
ところで、第１の連結バー８１は、第２の連結バー８２に対する回動が回動規制体９によって規制されるようになっている。この回動規制体９は、図１７、図１８に示すように、第２の連結バー８２に取り付けられて水平面部９１と側面部９２とを備え、水平に延びる回動軸９３を軸にして回動自在となっている。また、側面部９２の下端には窪んだ嵌合部９２ａが形成され、水平面部９１の反回動軸９３側の端部には、斜め上方に延びる引っ掛け部９１ａが形成されている。
【００６４】
この引っ掛け部９１ａを足などで持ち上げて回動規制体９を上方に回動させると、第１の連結バー８１が第２の連結バー８２に対して回動自在となる。そして、第１の連結バー８１を第２の連結バー８２に対して直線状に位置させた状態で、回動規制体９を下方に回動させると、第１の連結バー８１が側面部９２で挟まれて第１の連結バー８１の回動が規制される。また、図１３、図１４に示すように、椅子本体２が遊技機１１の正面に向くように第１の連結バー８１を回動させた状態で、回動規制体９を下方に回動させると、図１８に示すように、第１の連結バー８１が側面部９２の嵌合部９２ａに嵌合して第１の連結バー８１の回動が規制されるものである。なお、実施の形態４における回動規制体９も、略同等の構成となっている。
【００６５】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１では、第１の仮固定部材４１と第２の仮固定部材４２とで仮固定しているが、他の構成であってもよく、その際、ペダルを踏むと仮固定が解除されるようにしてもよい。一方、実施の形態１では、椅子本体２を引き出した状態で仮固定しているが、椅子本体２を遊技機１１側に収容した状態で仮固定するようにしてもよい。
【００６６】
また、第１の連結バー３１および第２の連結バー３２が伸縮するようにしてもよく、これにより椅子本体２をより柔軟に移動させることが可能となる。さらに、図２に示すようにして椅子本体２を引き出した状態で、隣接する遊技者との空間を仕切る仕切り板を第２の連結バー３２に取り付けるようにしてもよい。また、１つのベース１２１の両端部に２つの装着部１２２を設けて、２つの連結体３つまり遊技機用椅子１を連結できるようにしてもよい。
【符号の説明】
【００６７】
１        遊技機用椅子
２        椅子本体
２１      座部
２２      背もたれ
２３      支柱
２４      脚部
３        連結体
３１      第１の連結バー（一端部）
３２      第２の連結バー
３３      装着筒（他端部）
４１      第１の仮固定部材
４２      第２の仮固定部材
５        自動駆動装置（自動駆動手段）
５１      駆動モータ
５２      駆動機構
６１      電線（配線）
６２      コンセント
７        連結体
７１      第１の連結バー
７２      第２の連結バー
７３      ガイドバー
８        連結体
８１      第１の連結バー
８２      第２の連結バー
８２１    第１の屈折バー
８２２    第２の屈折バー
８０      接続体
９        回動規制体
１０      遊技機島
１１      遊技機
１２      島構造体
１２１    ベース（基部）
１２２    装着部
【図１】
2015231470.tif 000003
【図２】
2015231470.tif 000004
【図３】
2015231470.tif 000005
【図４】
2015231470.tif 000006
【図５】
2015231470.tif 000007
【図６】
2015231470.tif 000008
【図７】
2015231470.tif 000009
【図８】
2015231470.tif 000010
【図９】
2015231470.tif 000011
【図１０】
2015231470.tif 000012
【図１１】
2015231470.tif 000013
【図１２】
2015231470.tif 000014
【図１３】
2015231470.tif 000015
【図１４】
2015231470.tif 000016
【図１５】
2015231470.tif 000017
【図１６】
2015231470.tif 000018
【図１７】
2015231470.tif 000019
【図１８】
2015231470.tif 000020